(57)【要約】      （修正有）【課題】安定的に固定され、衝撃や震動によって脱落することがない足場用幅木を提供する。【解決手段】足場用幅木１００は、垂直板部と、垂直板部の対向する両端に設けられ、支柱１に係止される曲面を有する曲面受け部が形成された固定腕１３０と、固定腕の下方側に配されると共に、垂直板部の対向する両端に設けられ、横架材１０に係止される下切り欠き部１４３を有する固定係止片１４０と、からなる。【選択図】図５
0003215591.tif 000002
【実用新案登録請求の範囲】
【請求項１】
垂直板部と、
前記垂直板部の対向する両端に設けられ、曲面を有する曲面受け部が形成された固定腕と、
前記固定腕の下方側に配されると共に、前記垂直板部の対向する両端に設けられ、下切り欠き部を有する固定係止片と、からなることを特徴とする足場用幅木。
【請求項２】
前記固定係止片は、上切り欠き部を有することを特徴とする請求項１に記載の足場用幅木。
【請求項３】
前記垂直板部から延出する底面板部を有することを特徴とする請求項１又は請求項２に記載の足場用幅木。
【請求項４】
前記底面板部には長尺突状部が設けられることを特徴とする請求項３に記載の足場用幅木。
【請求項５】
前記垂直板部には折り返し部が設けられることを特徴する請求項１乃至請求項３のいずれか１項に記載の足場用幅木。
【請求項６】
前記固定腕が、異なる高さで前記垂直板部の対向する両端に設けられることを特徴とする請求項１乃至請求項５のいずれか１項に記載の足場用幅木。
【請求項７】
前記固定腕が、前記垂直板部に対してスライド可能に設けられることを特徴とする請求項１乃至請求項６のいずれか１項に記載の足場用幅木。
【考案の詳細な説明】
【技術分野】
【０００１】
本考案は、仮設足場を構成する支柱や横架材に対して、安定的に固定され、衝撃や震動によっても脱落しにくい足場用幅木に関する。
【背景技術】
【０００２】
建築現場や土木工事現場において構築される仮設足場は、鉛直方向に立設される支柱と、支柱間を渡す横架材と、対向する横架材の相互間に架け渡す布板と、から構成される。
【０００３】
通常、この種の仮設足場は、布板に置かれた工具、或いは作業者が、当該布板から誤って落下するのを防止する観点から、布板の外側縁部には、当該布板の表面と交差する向きに立ち上った長尺の幅木が設置されている。
【０００４】
引用文献１（特開２０１７−２０３２８６号公報）には、上記のような幅木を足場板（布板）に固定するための幅木固定金具が開示されている。
【特許文献１】特開２０１７−２０３２８６号公報
【考案の概要】
【考案が解決しようとする課題】
【０００５】
引用文献１記載の技術によれば、足場板（布板）の幅や厚さなどの寸法によらず、幅木を固定することが可能となるという利点はあるものの、幅木４０は基本的に、支持部５の先端に設けられる上突部８によって足場板５０に係止される構成であるために、幅木は衝撃や震動によって脱落しやすい、という問題があった。
【課題を解決するための手段】
【０００６】
上記のような問題を解決するために、本考案に係る足場用幅木は、垂直板部と、前記垂直板部の対向する両端に設けられ、曲面を有する曲面受け部が形成された固定腕と、前記固定腕の下方側に配されると共に、前記垂直板部の対向する両端に設けられ、下切り欠き部を有する固定係止片と、からなることを特徴とする。
【０００７】
また、本考案に係る足場用幅木は、前記固定係止片は、上切り欠き部を有することを特徴とする。
【０００８】
また、本考案に係る足場用幅木は、前記垂直板部から延出する底面板部を有することを特徴とする。
【０００９】
また、本考案に係る足場用幅木は、前記底面板部には長尺突状部が設けられることを特徴とする。
【００１０】
また、本考案に係る足場用幅木は、前記垂直板部には折り返し部が設けられることを特徴する。
【００１１】
また、本考案に係る足場用幅木は、前記固定腕が、異なる高さで前記垂直板部の対向する両端に設けられることを特徴とする。
【００１２】
また、本考案に係る足場用幅木は、前記固定腕が、前記垂直板部に対してスライド可能に設けられることを特徴とする。
【考案の効果】
【００１３】
本考案に係る足場用幅木によれば、曲面受け部が形成された固定腕によって支柱に係止されると共に、下切り欠き部を有する固定係止片によって横架材に係止されるために、仮設足場に対して足場用幅木は安定的に固定され、、衝撃や震動によって脱落することがない。
【図面の簡単な説明】
【００１４】
【図１】仮設足場の一部を抜き出して示す図である。
【図２】本考案の実施形態に係る足場用幅木１０の斜視図である。
【図３】本考案の実施形態に係る足場用幅木１０の正面図である。
【図４】本考案の実施形態に係る足場用幅木１０が取り付けられる第１の仮設足場を示す図である。
【図５】第１の仮設足場に取り付けられた本考案の実施形態に係る足場用幅木１０を示す図である。
【図６】本考案の実施形態に係る足場用幅木１０が取り付けられる第２の仮設足場を示す図である。
【図７】第２の仮設足場に取り付けられた本考案の実施形態に係る足場用幅木１０を示す図である。
【図８】本考案の他の実施形態に係る足場用幅木１０の斜視図である。
【図９】本考案の他の実施形態に係る足場用幅木１０の正面図である。
【図１０】本考案の他の実施形態に係る足場用幅木１０の斜視図である。
【図１１】本考案の他の実施形態に係る足場用幅木１０のロックピン機構１９０を抜き出して示す図である。
【考案を実施するための形態】
【００１５】
以下、本考案の実施の形態を図面を参照しつつ説明する。図１は仮設足場の一部を抜き出して示す図である。仮設足場は、概略、鉛直方向に立設される支柱１と、支柱１間を渡す横架材１０と、対向する横架材１０の相互間に架け渡す布板２０と、から構成されている。布板２０は、略矩形状の床面部２３と、床面部２３の対向する２辺に設けられたつかみ金具２５とからなり、つかみ金具２５が前記横架材１０に係止されることで、布板２０が横架材１０に対して安定的に固定されるようになっている。
【００１６】
上記のように構成される仮設足場においては、足場用幅木を用い、図１の斜線で示される空間を遮蔽することで、布板２０に置かれた工具、或いは作業者が、当該布板２０から誤って落下するのを防止するようにしている。
【００１７】
図２は本考案の実施形態に係る足場用幅木１０の斜視図である。また、図３は本考案の実施形態に係る足場用幅木１０の正面図であり、図１のＡの方向から足場用幅木１０を見た図である。なお、足場用幅木１０の上下については、足場用幅木１０が仮設足場に取り付けられたときを基準として定義される。また、足場用幅木１０が仮設足場に取り付けられたとき支柱間の方向を、図１に示すように長手方向として定義する。
【００１８】
足場用幅木１００は、図１の斜線で示される空間を遮蔽するための主要部である垂直板部１１０を有している。垂直板部１１０は鉄などの材料をもって構成することができる。垂直板部１１０の上端部には、長手方向にわたって折り返し部１１８が形成されており、布板２０に置かれたボルト・ナットなどの落下を阻止するようにしている。
【００１９】
垂直板部１１０の下端部には、垂直板部１１０に対して垂直な方向に延出する底面板部１２０が設けられている。この底面板部１２０は、足場用幅木１０が仮設足場に取り付けられたとき、その一部が布板に乗り上げることで、図１の斜線で示される空間の遮蔽をより完璧なものとしている。また、底面板部１２０には、長手方向にわたる２条の長尺突状部１２３が設けられている。これら長尺突状部１２３による滑り止め効果により、作業者の仮設足場からの落下を防止することができる。
【００２０】
垂直板部１１０の対向する両端には、曲面受け部１３３が形成された固定腕１３０が、同じ高さに複数の締結部材１６０によって取り付けられている。このような固定腕１３０としては、アルミニウムなどの材料が好適であるが、その他の材料を用いるようにしてもよい。曲面受け部１３３の曲面は、円柱状の支柱１の外周面に沿うような形状をなしており、これにより固定腕１３０は安定的に支柱１に支持される。
【００２１】
垂直板部１１０における固定腕１３０の下方側の両端には、固定係止片１４０が複数の締結部材１６０によって取り付けられている。このような固定係止片１４０としては、所定の厚さＴを有する鉄板片を用いることができる。固定係止片１４０には、足場用幅木１０が仮設足場に取り付けられたとき、横架材１０に当接する下切り欠き部１４３と、係止ピン２が設けられている支柱１において、係止ピン２からの避け部となる上切り欠き部１４７とが形成されている。
【００２２】
仮設足場においてはいくつかの規格があり、本考案の実施形態に係る足場用幅木１０においては、種々の規格の仮設足場に取り付けることができるようにされている。図４は本考案の実施形態に係る足場用幅木１０が取り付けられる第１の仮設足場を示す図である。図４において、布板は図示省略されている。図４に示す第１の仮設足場では、支柱１が高さ方向に継ぎ足される際に、支柱１同士を留める係止ピン２が設けられている
図５は、このような第１の仮設足場に取り付けられた本考案の実施形態に係る足場用幅木１０を示す図である。本考案に係る足場用幅木１０は、下端側においては、固定係止片１４０の下切り欠き部１４３が横架材１０に当接し支持されると共に、固定腕１３０の曲面受け部１３３が支柱１に沿うように支持される。これにより、本考案に係る足場用幅木１０は、仮設足場に対して安定的に固定され、、衝撃や震動によって脱落することがない。また、固定係止片１４０の上切り欠き部１４７は、係止ピン２からの避け部となり、上記のような第１の仮設足場に取り付けることにも支障がない。
【００２３】
次に、本考案に係る足場用幅木１０の他の態様の仮設足場への取り付けについて説明する。図６は本考案の実施形態に係る足場用幅木１０が取り付けられる第２の仮設足場を示す図である。図６において、布板は図示省略されている。
【００２４】
第２の仮設足場においては、支柱１には、高さ方向の所定間隔毎にフランジ４が設けられ、このフランジ４の水平方向の４方には孔５が形成されている。第２の仮設足場においては、このようなフランジ４に形成される４つの孔５によって、種々の構成が支柱１に取り付けられるようになっている。横架材１０には孔が設けられており、当該孔と、フランジ４の孔５とに楔材７が挿通されることで、横架材１０が支柱１に取り付けられるようになっている。ここで、楔材７と支柱１との間の水平最短距離をＧとする。
【００２５】
図７は第２の仮設足場に取り付けられた本考案の実施形態に係る足場用幅木１０を示す図である。本考案に係る足場用幅木１０の固定係止片１４０の厚さＴは、上記の距離Ｇより小さく、このため、固定係止片１４０は距離Ｇの間を通過すること可能である。これにより、本考案に係る足場用幅木１０は、下端側においては、固定係止片１４０の下切り欠き部１４３が横架材１０に当接し支持されると共に、固定腕１３０の曲面受け部１３３が支柱１に沿うように支持される。これにより、本考案に係る足場用幅木１０は、仮設足場に対して安定的に固定され、、衝撃や震動によって脱落することがない。
【００２６】
以上のような本考案に係る足場用幅木１０によれば、曲面受け部１３３が形成された固定腕１３０によって支柱１に係止されると共に、下切り欠き部１４３を有する固定係止片１４０によって横架材１０に係止されるために、仮設足場に対して足場用幅木１０は安定的に固定され、、衝撃や震動によって脱落することがない。
【００２７】
次に、本考案の他の実施形態について説明する。図８は本考案の他の実施形態に係る足場用幅木１０の斜視図であり、図９は本考案の他の実施形態に係る足場用幅木１０の正面図である。本実施形態が最初の実施形態と異なる点は、固定腕１３０が、異なる高さで垂直板部１１０の対向する両端に設けられる点であり、その他の構成は同様のものである。
【００２８】
固定腕１３０が異なる高さで垂直板部１１０に設けられるメリットについて説明する。隣り合って取り付けられる足場用幅木１０においては、一方の足場用幅木１０の固定腕１３０が、それに隣る他方の足場用幅木１０の固定腕１３０の上方に配されるようになる。そうすると、前記他方の足場用幅木１０の固定腕１３０に対して、前記一方の足場用幅木１０の固定腕１３０が抜け止めのような役割を果たすこととなる。これにより、本実施形態に係る足場用幅木１０が、風などで吹き上げられた際に、仮設足場から脱落することを防止すること可能となる。
【００２９】
ここで、本実施形態に係る足場用幅木１０においては、図９に示すように、低い方の固定腕１３０の高さをＸ１とし、高い方の固定腕１３０の高さをＸ２とし、固定腕１３０自体の高さをＨとすると、
Ｘ２＞Ｘ１＋Ｈ
の関係を有することが好ましい。
【００３０】
以上のような他の実施形態に係る足場用幅木１０によれば、先の実施形態と同様の効果を享受することが可能となると共に、風などによる吹き上げに対する脱落のリスクを減らすことが可能となる。
【００３１】
次に、本考案の他の実施形態について説明する。図１０は本考案の他の実施形態に係る足場用幅木１０の斜視図である。
【００３２】
本実施形態が、最初の実施形態と異なる点は、垂直板部１１０に対して２つ設けられる固定腕のうち、一方のものがスライド可能に構成されている点である。このスライド可能な固定腕をスライド式固定腕１８０と称することとする。このスライド式固定腕１８０にも、円柱状の支柱１の外周面に沿うような曲面を有する曲面受け部１８３が形成されている。
【００３３】
スライド式固定腕１８０は、垂直板部１１０に対して抜け止め部材１８５によって取り付けられており、図１０の（ａ）と（ｂ）との間をスライド可能とされている。スライド式固定腕１８０には、（ｂ）の状態となったとき、スライド式固定腕１８０をロックするロックピン機構１９０が設けられている。
【００３４】
図１１は本考案の他の実施形態に係る足場用幅木１０のロックピン機構１９０を抜き出して示す図である。ロックピン機構１９０は、スライド式固定腕１８０が（ｂ）の状態となったとき、不図示の垂直板部１１０の孔に、その一端が嵌入するシャフト部材１９２を有している。これにより、スライド式固定腕１８０は、（ｂ）の状態となったとき、ロック状態となる。
【００３５】
シャフト部材１９２は、スリーブ部材１９１に挿通された状態で保持されている。また、シャフト部材１９２とスリーブ部材１９１との間には、バネなどの弾性部材１９５が配されており、この弾性部材１９５により、シャフト部材１９２は図１１でみて右方側に付勢されている。また、シャフト部材１９２の一端には、リング部材１９９が設けられており、当該リング部材１９９を弾性部材１９５の付勢力に抗して引くことにより、スライド式固定腕１８０のロック状態を解除することができる。
【００３６】
以上のような他の実施形態に係る足場用幅木１０によれば、第１の実施形態と同様の効果を享受することが可能となると共に、スライド可能なスライド式固定腕１８０によって、異なった規格の仮設足場にも対応することができる。
【符号の説明】
【００３７】
１・・・支柱
２・・・係止ピン
４・・・フランジ
５・・・孔
７・・・楔材
１０・・・横架材
２０・・・布板
２３・・・床面部
２５・・・つかみ金具
１００・・・足場用幅木
１１０・・・垂直板部
１１８・・・折り返し部
１２０・・・底面板部
１２３・・・長尺突状部
１３０・・・固定腕
１３３・・・曲面受け部
１４０・・・固定係止片
１４３・・・下切り欠き部
１４７・・・上切り欠き部
１６０・・・締結部材
１８０・・・スライド式固定腕
１８３・・・曲面受け部
１８５・・・抜け止め部材
１９０・・・ロックピン機構
１９１・・・スリーブ部材
１９２・・・シャフト部材
１９５・・・弾性部材
１９９・・・リング部材
Ｔ・・・固定係止片厚さ
Ｇ・・・間隙
Ｈ・・・固定腕高さ（幅）
【図１】
0003215591.tif 000003
【図２】
0003215591.tif 000004
【図３】
0003215591.tif 000005
【図４】
0003215591.tif 000006
【図５】
0003215591.tif 000007
【図６】
0003215591.tif 000008
【図７】
0003215591.tif 000009
【図８】
0003215591.tif 000010
【図９】
0003215591.tif 000011
【図１０】
0003215591.tif 000012
【図１１】
0003215591.tif 000013